(57)【要約】【課題】装置の動作が他人によって不用意に変更されることを防止する。【解決手段】リモートコントローラ１８は、複数のキースイッチが同時に押下されたときには、同時に押下された複数のキースイッチのそれぞれを識別可能にするリモートコントロール信号を送信する。また、１つの指示内容に対応して同時に押下される複数のキースイッチの組を示す情報が入力される組入力手段８と、組入力手段８によって入力された指示内容と複数のキースイッチの組との対応関係を記憶する組記憶手段１６とを備え、リモコン信号解析手段９は、組記憶手段１６において複数のキースイッチの組との対応付けが記憶された指示内容である複数キー対応指示内容については、複数キー対応指示内容に対応付けられたキースイッチの組を示すリモートコントロール信号を受信したときに該当する指示内容を出力する。【選択図】  図１
2005295440.tif 000002
【特許請求の範囲】
【請求項１】
複数のキースイッチが設けられ、キースイッチが操作されたときには、操作されたキースイッチに対応するリモートコントロール信号を送信するリモートコントローラと、
リモートコントロール信号を受信したときには、リモートコントロール信号により示される指示内容を解析して出力するリモコン信号解析手段とを備え、
指示内容のそれぞれには所定のキースイッチが初期設定として予め対応付けられているリモートコントロール装置において、
リモートコントローラは、複数のキースイッチが同時に押下されたときには、同時に押下された複数のキースイッチのそれぞれを識別可能にするリモートコントロール信号を送信し、
リモートコントローラに設けられた複数のキースイッチの一部のキースイッチの組であって且つ１つの指示内容に対応して同時に押下される複数のキースイッチの組を示す情報が入力される組入力手段と、
組入力手段によって入力された指示内容と複数のキースイッチの組との対応関係を記憶する組記憶手段とを備え、
リモコン信号解析手段は、組記憶手段において複数のキースイッチの組との対応付けが記憶された指示内容である複数キー対応指示内容については、複数キー対応指示内容に対応付けられたキースイッチの組を示すリモートコントロール信号を受信したときに該当する指示内容を出力し、
組入力手段は、同時に押下される複数のキースイッチの組を対応付けることが可能な指示内容の一覧を表示するとともに、表示手段の一覧に表示されない指示内容については、初期設定として対応付けられたキースイッチとは異なるキースイッチに対応付けることを不能とし、且つ、表示手段の一覧に表示されない指示内容には、電源オフから電源オンへの移行の指示と、前記一覧の表示への移行の指示とを少なくとも含み、且つ、初期復帰の指示が入力されたときには、指示内容のそれぞれに対応付けられるキースイッチを、初期設定として予め対応付けられたキースイッチとすることを特徴とするリモートコントロール装置。
【請求項２】
複数のキースイッチが設けられ、キースイッチが操作されたときには、操作されたキースイッチに対応するリモートコントロール信号を送信するリモートコントローラと、
リモートコントロール信号を受信したときには、リモートコントロール信号により示される指示内容を解析して出力するリモコン信号解析手段とを備え、
指示内容のそれぞれには所定のキースイッチが初期設定として予め対応付けられているリモートコントロール装置において、
リモートコントローラは、複数のキースイッチが同時に押下されたときには、同時に押下された複数のキースイッチのそれぞれを識別可能にするリモートコントロール信号を送信し、
リモートコントローラに設けられた複数のキースイッチの一部のキースイッチの組であって且つ１つの指示内容に対応して同時に押下される複数のキースイッチの組を示す情報が入力される組入力手段と、
組入力手段によって入力された指示内容と複数のキースイッチの組との対応関係を記憶する組記憶手段とを備え、
リモコン信号解析手段は、組記憶手段において複数のキースイッチの組との対応付けが記憶された指示内容である複数キー対応指示内容については、複数キー対応指示内容に対応付けられたキースイッチの組を示すリモートコントロール信号を受信したときに該当する指示内容を出力することを特徴とするリモートコントロール装置。
【請求項３】
組入力手段は、同時に押下される複数のキースイッチの組を対応付けることが可能な指示内容の一覧を表示し、
表示手段の一覧に表示されない指示内容については、初期設定として対応付けられたキースイッチとは異なるキースイッチに対応付けることを不能としたことを特徴とする請求項２記載のリモートコントロール装置。
【請求項４】
表示手段の一覧に表示されない指示内容には、電源オフから電源オンへの移行の指示と、前記一覧の表示への移行の指示とを少なくとも含むことを特徴とするリモートコントロール装置。
【発明の詳細な説明】
【技術分野】
【０００１】
本発明は、１ースイッチが操作されたときには、操作されたキースイッチに対応するリモートコントロール信号を送信するリモートコントロール装置に係り、より詳細には、動作の指示を入力するときの操作が、同時に複数のキースイッチを押下する動作となるリモートコントロール装置に関するものである。
【背景技術】
【０００２】
離れたところに位置する装置の動作を制御することが可能なリモートコントローラには、指示したい内容のそれぞれに対応するキースイッチが設けられている。このため、ユーザは、映像信号の記録再生装置を用いて、受信した商用放送を録画したいときには、記録再生装置のリモートコントローラの録画キーを押下することでもって、録画を開始させることができる。すなわち、リモートコントローラは、操作されたキースイッチに対応する赤外線信号を装置本体の側に送信し、装置本体の側では、受信した赤外線信号が示す動作を実行するように構成されている（第１の従来技術とする）。
【０００３】
また、本願出願人により、以下に示す技術が提案されている（第２の従来技術とする）。すなわち、光ディスク装置においては、パレンタルレベルを変更する場合に４桁の数値からなるパスワードの入力が求められる。このときのパスワードについては、秘密の保持を必要とするので、メモ書きして残しておくことは難しい。その一方で、パスワードを忘れてしまうこともある。このため、上記第２の従来技術においては、ユーザから入力されたパスワードを、メモリに予め記憶されたメールアドレスに送信することにより、送信先においてパスワードを保管させるようにしている（例えば、特許文献１参照）。
【０００４】
また、以下に示す技術が提案されている（第３の従来技術とする）。すなわち、この技術においては、モード設定画面が表示されている状態において、モード設定キーを、所定時間を超えて押下し続けたときにのみ、パレンタルレベルの設定を変更することができる画面に移行するようになっている。このため、パレンタルレベルの設定を行うための操作が分かりやすくなる。また、パレンタルレベルの変更に関する機密保持にも優れた効果を生じることになる（例えば、特許文献２参照）。
【特許文献１】実用新案登録第３０９４９９６号公報
【特許文献２】特開平１０−１４３９８１号公報
【発明の開示】
【発明が解決しようとする課題】
【０００５】
しかしながら、第１の従来技術を用いる場合には、以下に示す問題が生じていた。すなわち、記録再生装置を用いて受信した商用放送を録画しているときに、他人によって、誤って、リモートコントローラの停止キーが操作されるという事態が生じた場合、録画が中断されるという重大な不具合が生じることになる。
【０００６】
一方、第２の従来技術は、パスワードを、容易に確認することができるとともに、秘密の保持を可能にする技術となっている。このため、第１の従来技術において生じた問題を解決しようとする観点からは、適用することが困難な技術となっている。
【０００７】
また、第３の従来技術は、パレンタルレベルの設定を行うための操作を分かりやすくし、且つ、パレンタルレベルの変更に関する機密保持をも可能にする技術となっている。このため、第１の従来技術において生じた問題を解決しようとする観点からは、適用することが困難な技術となっている。
【０００８】
本発明は、上記の問題点を解決するため創案されたものであり、その目的は、装置の動作が他人によって不用意に変更されることを防止することのでき、且つ、同時に押下するように対応付けた複数のキースイッチの種類を忘れたときにも、装置が動作不能となることを好適に防止することのでき、且つ、操作するキースイッチの種類と指示内容との対応関係を初期状態に戻す操作を簡単化することのできるリモートコントロール装置を提供することにある。
【０００９】
また本発明の目的は、指示に対応するキースイッチの操作を、複数のキースイッチを同時に押下する操作とすることを可能にするとともに、指示に対応するキースイッチの操作を、複数のキースイッチを同時に押下する操作としたときには、複数のキースイッチが同時に押下されたときにのみ、該当する指示が入力されたとみなすことにより、装置の動作が他人によって不用意に変更されることを防止することのできるリモートコントロール装置を提供することにある。
【００１０】
また上記目的に加え、同時に押下される複数のキースイッチの組を対応付けることが可能な指示内容の一覧を表示し、一覧に表示されない指示内容については、初期設定として対応付けられたキースイッチとは異なるキースイッチに対応付けることを不能とすることにより、同時に押下するように対応付けた複数のキースイッチの種類を忘れたときにも、装置が動作不能となることを防止することのできるリモートコントロール装置を提供することにある。
【００１１】
また上記目的に加え、同時に押下するように設定された複数のキースイッチの種類を忘れたときにも、装置が動作不能となることの防止を好適に行うことのできるリモートコントロール装置を提供することにある。
【課題を解決するための手段】
【００１２】
上記の課題を解決するため、本発明に係るリモートコントロール装置は、複数のキースイッチが設けられ、キースイッチが操作されたときには、操作されたキースイッチに対応するリモートコントロール信号を送信するリモートコントローラと、リモートコントロール信号を受信したときには、リモートコントロール信号により示される指示内容を解析して出力するリモコン信号解析手段とを備え、指示内容のそれぞれには所定のキースイッチが初期設定として予め対応付けられているリモートコントロール装置に適用しており、リモートコントローラは、複数のキースイッチが同時に押下されたときには、同時に押下された複数のキースイッチのそれぞれを識別可能にするリモートコントロール信号を送信し、リモートコントローラに設けられた複数のキースイッチの一部のキースイッチの組であって且つ１つの指示内容に対応して同時に押下される複数のキースイッチの組を示す情報が入力される組入力手段と、組入力手段によって入力された指示内容と複数のキースイッチの組との対応関係を記憶する組記憶手段とを備え、リモコン信号解析手段は、組記憶手段において複数のキースイッチの組との対応付けが記憶された指示内容である複数キー対応指示内容については、複数キー対応指示内容に対応付けられたキースイッチの組を示すリモートコントロール信号を受信したときに該当する指示内容を出力し、組入力手段は、同時に押下される複数のキースイッチの組を対応付けることが可能な指示内容の一覧を表示するとともに、表示手段の一覧に表示されない指示内容については、初期設定として対応付けられたキースイッチとは異なるキースイッチに対応付けることを不能とし、且つ、表示手段の一覧に表示されない指示内容には、電源オフから電源オンへの移行の指示と、前記一覧の表示への移行の指示とを少なくとも含み、且つ、初期復帰の指示が入力されたときには、指示内容のそれぞれに対応付けられるキースイッチを、初期設定として予め対応付けられたキースイッチとするようになっている。
【００１３】
すなわち、組入力手段によって入力された指示内容と複数のキースイッチの組との対応関係は、ユーザにより設定される任意の対応関係となる。つまり、個々のユーザのそれぞれ毎に固有の対応関係となる。従って、複数キー対応指示内容を入力するためのキー操作は、ユーザのそれぞれが使用する装置毎に異なり、且つ、同時に複数のキースイッチを押下するという、通常のキー操作とは異なる操作となる。また、電源オンへの移行の指示、対応付けられた複数のキースイッチの組の確認画面の表示の指示、等のように、同時に押下するように対応付けた複数のキースイッチの種類を思い出したり、変更したりするときに不可欠となる動作の指示の入力方法については、忘れることのない、常に同一の操作とすることができる。また、初期復帰を指示するための操作を行うのみで、指示内容のそれぞれに対応付けられるキースイッチが、初期設定として予め対応付けられたキースイッチとなる。
【００１４】
また本発明に係るリモートコントロール装置は、複数のキースイッチが設けられ、キースイッチが操作されたときには、操作されたキースイッチに対応するリモートコントロール信号を送信するリモートコントローラと、リモートコントロール信号を受信したときには、リモートコントロール信号により示される指示内容を解析して出力するリモコン信号解析手段とを備え、指示内容のそれぞれには所定のキースイッチが初期設定として予め対応付けられているリモートコントロール装置に適用しており、リモートコントローラは、複数のキースイッチが同時に押下されたときには、同時に押下された複数のキースイッチのそれぞれを識別可能にするリモートコントロール信号を送信し、リモートコントローラに設けられた複数のキースイッチの一部のキースイッチの組であって且つ１つの指示内容に対応して同時に押下される複数のキースイッチの組を示す情報が入力される組入力手段と、組入力手段によって入力された指示内容と複数のキースイッチの組との対応関係を記憶する組記憶手段とを備え、リモコン信号解析手段は、組記憶手段において複数のキースイッチの組との対応付けが記憶された指示内容である複数キー対応指示内容については、複数キー対応指示内容に対応付けられたキースイッチの組を示すリモートコントロール信号を受信したときに該当する指示内容を出力するようになっている。
【００１５】
すなわち、組入力手段によって入力された指示内容と複数のキースイッチの組との対応関係は、ユーザにより設定される任意の対応関係となる。つまり、個々のユーザのそれぞれ毎に固有の対応関係となる。従って、複数キー対応指示内容を入力するためのキー操作は、ユーザのそれぞれが使用する装置毎に異なり、且つ、同時に複数のキースイッチを押下するという、通常のキー操作とは異なる操作となる。
【００１６】
また上記構成に加え、組入力手段は、同時に押下される複数のキースイッチの組を対応付けることが可能な指示内容の一覧を表示し、表示手段の一覧に表示されない指示内容については、初期設定として対応付けられたキースイッチとは異なるキースイッチに対応付けることを不能としている。
【００１７】
すなわち、電源オンへの移行の指示、対応付けられた複数のキースイッチの組の確認画面の表示の指示、等のように、同時に押下するように対応付けた複数のキースイッチの種類を思い出したり、変更したりするときに不可欠となる動作の指示の入力方法については、忘れることのない、常に同一の操作とすることができる。
【００１８】
また上記構成に加え、表示手段の一覧に表示されない指示内容には、電源オフから電源オンへの移行の指示と、前記一覧の表示への移行の指示とを少なくとも含むようになっている。
【発明の効果】
【００１９】
本発明によれば、装置に実行させる動作の指示内容と複数のキースイッチの組との対応関係は、ユーザにより設定される任意の対応関係となる。従って、複数キー対応指示内容を入力するためのキー操作は、ユーザのそれぞれが使用する装置毎に異なり、且つ、同時に複数のキースイッチを押下するという、通常のキー操作とは異なる操作となる。また、電源オンへの移行の指示、対応付けられた複数のキースイッチの組の確認画面の表示の指示、等のように、同時に押下するように対応付けた複数のキースイッチの種類を思い出したり、変更したりするときに不可欠となる動作の指示の入力方法については、忘れることのない、常に同一の操作とすることができる。また、初期復帰を指示するための操作を行うのみで、指示内容のそれぞれに対応付けられるキースイッチが、初期設定として予め対応付けられたキースイッチとなる。このため、装置の動作が他人によって不用意に変更されることを防止することができ、且つ、同時に押下するように対応付けた複数のキースイッチの種類を忘れたときにも、装置が動作不能となることを好適に防止することができ、且つ、操作するキースイッチの種類と指示内容との対応関係を初期状態に戻す操作を簡単化することができる。
【００２０】
また本発明によれば、装置に実行させる指示内容と複数のキースイッチの組との対応関係は、ユーザにより設定される任意の対応関係となる。従って、複数キー対応指示内容を入力するためのキー操作は、ユーザのそれぞれが使用する装置毎に異なり、且つ、同時に複数のキースイッチを押下するという、通常のキー操作とは異なる操作となる。このため、装置の動作が他人によって不用意に変更されることを防止することができる。
【００２１】
またさらに、電源オンへの移行の指示、対応付けられた複数のキースイッチの組の確認画面の表示の指示、等のように、同時に押下するように対応付けた複数のキースイッチの種類を思い出したり、変更したりするときに不可欠となる動作の指示の入力方法については、忘れることのない、常に同一の操作とすることができるので、同時に押下するように対応付けた複数のキースイッチの種類を忘れたときにも、装置が動作不能となることを防止することができる。
【００２２】
またさらに、表示手段の一覧に表示されない指示内容には、電源オフから電源オンへの移行の指示と、前記一覧の表示への移行の指示とを少なくとも含むようになっているので、同時に押下するように設定された複数のキースイッチの種類を忘れたときにも、装置が動作不能となることの防止を好適に行うことができる。
【発明を実施するための最良の形態】
【００２３】
以下、本発明の実施の形態について図を参照して説明する。
【実施例１】
【００２４】
図１は、本実施例係るリモートコントロール装置の一実施形態が適用された映像信号記録再生装置の電気的構成を示すブロック線図である。
【００２５】
図において、チューナ部１１は、マイクロコンピュータ１５によって指示されたチャンネルの商用放送を受信するととも、受信して得られた映像信号を記録再生信号処理部１３に出力する。
【００２６】
記録再生信号処理部１３は、チューナ部１１から出力される映像信号に所定処理を施すことによって、チューナ部１１から出力される映像信号を、ハードディスクドライブ（以下では、ＨＤＤと称する）１２に記録するための圧縮デジタル信号に変換する。また、ＨＤＤ１２に記録された圧縮デジタル信号を読み出した後、伸長することによってデジタル映像信号を復調し、Ａ／Ｄ変換部１４に出力する。
【００２７】
Ａ／Ｄ変換部１４は、記録再生信号処理部１３より出力されるデジタル映像信号を、アナログ映像信号に変換し、外部に設けられたテレビ受像機１９に出力する。
【００２８】
入力回路部１７は、装置本体の前面パネルに設けられた電源キー等の複数のキースイッチや、リモートコントローラ１８から送信される赤外線信号を受光する受光ユニット等を備えており、ユーザから入力された指示を受け取ってマイクロコンピュータ１５に出力する。
【００２９】
リモートコントローラ１８は、図２に示したように、複数のキースイッチを備えており、キースイッチが操作されたときには、操作されたキースイッチに対応するリモートコントロール信号を送信する。なお、複数のキースイッチが同時に押下されたときには、同時に押下された複数のキースイッチのそれぞれを識別可能にするリモートコントロール信号を送信する。
【００３０】
メモリ１６は、不揮発性のメモリ素子によって構成されており、チューナ部１１が受信するチャンネル番号等を記憶する。また、請求項記載の組記憶手段を構成する（後に詳述する）。
【００３１】
マイクロコンピュータ１５は、映像信号記録再生装置としての主要動作を制御する。すなわち、リモートコントローラ１８等に入力されるユーザからの指示に従って、チューナ部１１が受信するチャンネルを制御する。また、リモートコントローラ１８等に入力されたユーザからの指示に従って、ＨＤＤ１２に映像信号を記録するための制御、および、ＨＤＤ１２に記録された映像信号を再生するための制御、等を行う。
【００３２】
また、マイクロコンピュータ１５は、録画や再生、あるいは早送りや停止等といったような、リモートコントローラ１８を用いて入力することが可能な指示内容を入力するときのキースイッチの操作方法を、１つのキースイッチの操作ではなく、複数のキースイッチを同時に押下する方法とする場合に、同時に押下する複数のキースイッチの組を示す情報を予め入力するための組入力手段８の一部となる組入力部２１を構成する（組入力手段８は、リモートコントローラ１８、入力回路部１７、組入力部２１の３つのブロックにより構成される）。
【００３３】
なお、組入力部２１は、同時に押下する複数のキースイッチの組を示す情報の入力時には、記録再生信号処理部１３のオンスクリーンディスプレイ部（図示を省略）を制御して、同時に押下される複数のキースイッチの組に対応付けることが可能な指示内容の一覧（図３の２６１により示す）を表示する映像信号を生成する。また、一覧に表示されない指示内容については、対応付けるキースイッチを、予め初期設定として対応付けられたキースイッチから変更しないようになっている。
【００３４】
なお、上記した一覧に表示されない指示内容は、対応関係を変更したときに、その対応関係を忘れてしまうと、装置としての正常な動作を行わせることができなくなる可能性が極めて高い指示内容となっている。このため、一覧に表示されない指示内容には、電源オフから電源オンに移行させるための指示、対応関係の一覧を表示して、対応関係の入力や変更を可能にする組入力手段８への移行の指示（図３に示す画面表示の指示）、および、項目の選択に必要となる指示（カーソルの４方向の移動の指示と、決定の指示）が含まれている。
【００３５】
その理由は、電源オフから電源オンへの移行の指示のために同時に押下する複数のキースイッチの組を忘れた場合では、電源をオンにすることができなくなる。また、組入力手段８への移行を指示する（図３に示す一覧表示を指示する）ために同時に押下する複数のキースイッチの組を忘れた場合では、同時に押下する複数のキースイッチの組と指示内容との対応関係の一覧の表示や、前記対応関係の変更ができなくなるためである。
【００３６】
また、一覧が表示された状態においてリセットの項目（図３の２６３）を選択した場合には、指示内容のそれぞれに対応付けられるキースイッチは、初期設定として予め対応付けられたキースイッチに戻るようになっている。
【００３７】
なお、指示内容のそれぞれに対応付けられるキースイッチが、初期設定として予め対応付けられたキースイッチに戻った状態とは、指示内容の『停止』に対応するキースイッチが停止キー２８１となり、指示内容の『再生』に対応するキースイッチが再生キー２８３、等となる状態である。すなわち、リモートコントローラ１８の操作面に刻印された文字や記号によって示される指示内容が、そのキースイッチを操作したときの指示内容となる状態のことである。
【００３８】
メモリ１６により構成される組記憶手段は、組入力手段８により入力された情報（同時に押下する複数のキースイッチの組を示す情報）を、該当する指示内容に対応付けて記憶する。すなわち、指示内容が『再生（ＰＬＡＹ）』である場合について詳細に説明すると、リモートコントローラ１８により、同時に押下される複数のキースイッチの組が、再生キー２８３と数字の『３』キー２７３とスキップアップキー２８２とであることを示す情報が入力された場合、組記憶手段１６には、指示内容である『再生』に対応付けて、再生キー２８３と『３』キー２７３とスキップアップキー２８２との３つのキースイッチを示す情報が記憶される。
【００３９】
また、マイクロコンピュータ１５は、リモートコントローラ１８から送信されるリモートコントロール信号を受信したときには、リモートコントロール信号により示される指示内容を解析し、出力するリモコン信号解析手段９の一部となる信号解析部２２を構成する（リモコン信号解析手段９は、入力回路部１７と信号解析部２２とにより構成される）。そして、信号解析部２２となるときには、複数のキースイッチが同時に押下されたことを示すリモートコントロール信号が入力回路部１７において受信された場合、受信されたリモートコントロール信号により示される複数のキースイッチの組に対応する指示内容（複数キー対応指示内容）を出力する。
【００４０】
図４は、複数のキースイッチの組を入力するときの実施形態の主要動作を示すフローチャート、図５は、リモートコントローラに動作の指示が入力されたときの実施形態の主要動作を示すフローチャートである。必要に応じて同図を参照しつつ動作を説明する。
【００４１】
電源オフ状態において、電源キー２８４を操作すると、マイクロコンピュータ１５は、図示されない電源部を制御することによって、電源オフ状態から電源オン状態に移行する（ステップＳ１，Ｓ２）。そして、設定キー２８５を用いて初期設定画面（図示を省略）を表示させた後、カーソルキー２８６と決定キー２８７とを用いて、指示内容に対応する複数のキースイッチの組み合わせを入力する設定項目を選択すると、組入力手段８によって、図３に示す入力画面が表示される（ステップＳ３）。
【００４２】
入力画面が表示されたときには、カーソルキー２８６を用いて、カーソル２６２を、キー設定を行いたい指示内容に移動させる（ステップＳ４）。そして後、同時に押下するキースイッチを、このときには、１つづつ、順番に押下していく（同時に押下する構成とすることもできる）（ステップＳ５）。図３に示す表示は、カーソル２６２を用いて指示内容の『速送り』を選択し、次いで、同時に押下するキースイッチの組として、速送りキー２８８と『４』キー２７４とを押下した状態を示している（同時に押下するキースイッチの数は２つとなっている）。
【００４３】
以下、同様の方法によって、キー設定したい指示内容を選択した後、同時に押下する複数のキースイッチの組を示すキー操作を行う（ステップＳ６，Ｓ４，Ｓ５）。そして、『終了』の項目２６４を選択したときには、キー設定の終了となる。このため、組入力手段８は、入力されたキー設定、すなわち、指示内容のそれぞれを、対応する複数のキースイッチの組と対応付けて、組記憶手段（メモリ）１６に記憶する（ステップＳ７）。この後、組記憶手段１６に記憶された対応関係が有効となる。
【００４４】
図３に示されたキー設定について補足的な説明を行うと、録画キー２８９と数字の『１』キー２７１とスキップアップキー２８２とを同時に押下した場合に、『録画』の指示となる。また、停止キー２８１と数字の『７』キー２７７とスキップダウンキー２９０とを同時に押下したときには、『停止』の指示となる。また、電源キー２８４と数字の『８』キー２７８とスキップダウンキー２９０とを同時に押下したときには、『電源オフ』の指示となる（電源オンの指示については、既に説明したように、電源キー２８４に対応しており、変更できないようになっている）。また、速送りキー２８８と『４』キー２７４との２つのキースイッチを同時に押下したときには、『速送り』の指示となる。
【００４５】
一方、『速戻し』については、複数のキースイッチの組が設定されてなくて、初期設定である速戻しキー２９１となっている。このため、速戻しキー２９１を押下するのみで、『速戻し』の指示が入力されるようになっている。
【００４６】
なお、図３に示す入力画面において、リセットの項目２６３にカーソルを移動させた後、決定キー２８７を操作したときには、指示内容のそれぞれには、初期設定であるキースイッチが対応付けられる。このため、複数のキースイッチの組を対応付けることが不要となったときには、極めて簡単な操作でもって、指示内容とキースイッチとの対応関係を、一般的に使用される対応関係である初期設定に戻すことができる。
【００４７】
組入力手段８による入力が終了した後、例えば、録画を開始させたいため、録画キー２８９と『１』キー２７１とスキップアップキー２８２とを同時に押下したとする。リモートコントローラ１８は、録画キー２８９と『１』キー２７１とスキップアップキー２８２との３つのキースイッチが同時に押下されると、録画キー２８９と『１』キー２７１とスキップアップキー２８２との３つのキースイッチを識別することが可能なリモートコントロール信号を送信する。
【００４８】
すなわち、リモートコントローラ１８は、録画キー２８９の押下が開始されたことを示す信号と、『１』キー２７１の押下が開始されたことを示す信号と、スキップアップキー２８２の押下が開始されたことを示す信号とを送信する。そして後、録画キー２８９の押下が停止されたことを示す信号と、『１』キー２７１の押下が停止されたことを示す信号と、スキップアップキー２８２の押下が停止されたことを示す信号とを送信する。
【００４９】
リモコン信号解析手段９の側では、リモートコントローラ１８からリモートコントロール信号が送信されたことを検出すると、検出したリモートコントロール信号の解析を行う。すなわち、１つのキースイッチの押下が開始されて後、押下が停止されるまでの間に、異なるキースイッチの押下が開始されたことを示す信号が送信された場合には、同時に複数のキースイッチが押下されていると判定する。
【００５０】
そして、複数のキースイッチが同時に押下されていると判定したときには、同時に押下されたキースイッチの種類を検出する。従って、リモートコントローラ１８の録画キー２８９と『１』キー２７１とスキップアップキー２８２とを同時に押下した場合には、リモコン信号解析手段９において、録画キー２８９と『１』キー２７１とスキップアップキー２８２との３つのキースイッチが同時に押下されたことが検出される（ステップＳ１１〜Ｓ１３）。
【００５１】
リモコン信号解析手段９は、録画キー２８９と『１』キー２７１とスキップアップキー２８２との３つのキースイッチが同時に押下されたことを検出した後には、組記憶手段１６に、録画キー２８９と『１』キー２７１とスキップアップキー２８２との３つのキースイッチに対応する指示内容が記憶されているかどうかを調べる（ステップＳ１４）。このときでは、指示内容の『録画』が、録画キー２８９と『１』キー２７１とスキップアップキー２８２との３つのキースイッチに対応する指示内容となっているので、指示内容の『録画』を出力する。このため、マイクロコンピュータ１５は、録画を開始させる制御を行う（ステップＳ１５，Ｓ１６）。
【００５２】
一方、録画中において、リモートコントローラ１８の停止キー２８１のみを押下した場合、リモートコントローラ１８は、リモートコントロール信号として、停止キー２８１の押下が開始されたことを示す信号を送信した後、停止キー２８１の押下が停止されたことを示す信号を送信する。このため、リモコン信号解析手段９は、停止キー２８１のみが押下されたと判定する。そして、初期設定として停止キー２８１が対応付けられている指示内容の『停止』に、複数のキースイッチの組が対応付けられているかどうかを調べる（ステップＳ１１，Ｓ１２，Ｓ１７）。
【００５３】
このときでは、指示内容の『停止』には、停止キー２８１と『７』キー２７７とスキップダウンキー２９０との３つのキースイッチの組が対応付けられているので、初期設定が変更されているとして、停止キー２８１のみのキー操作を無視する。つまり、録画を停止しない。そして後、動作を、ステップＳ１８からステップＳ１１に移行し、リモートコントローラ１８にキー操作が入力されるがどうかを調べるループ動作に移行する。
【００５４】
また、再生中において、リモートコントローラ１８の速戻しキー２９１を押下したときでは、動作は、ステップＳ１１，Ｓ１２，Ｓ１７と移行し、初期設定として速戻しキー２９１が対応付けられている指示内容の『速戻し』に、複数のキースイッチの組が対応付けられているかどうかが調べられる。このときでは、指示内容の『速戻し』は初期設定の状態から変更されていないので、リモコン信号解析手段９は、速戻しキー２９１の押下は『速戻し』の指示であると判定する。このため、マイクロコンピュータ１５は、再生を後方に向かって速戻しさせるための制御を行う（ステップＳ１８，Ｓ１６）。
【００５５】
以上のことから、録画を行っているときに、誤って、リモコン信号解析手段９の停止キー２８１が操作されるときにも、停止キー２８１の操作が無視されるので、録画が中断されるという事態の発生が防止される。また、録画を行っているときにも、誤って電源キー２８４が操作されるときにも、同様に、電源キー２８４の操作は無視されるので、録画の中断が防止される。
【実施例２】
【００５６】
図６は、リモートコントロール装置の第２の実施形態を適用したテレビ受像機の電気的構成を示すブロック線図であり、図１に示す構成と同一となるブロックには、図１における符号を付与し、説明を省略する。
【００５７】
映像信号処理部４３は、チューナ部１１から出力される映像信号に所定処理を施すことによって、表示器４４を駆動する信号を生成して出力する。表示器４４は、例えば、ＣＲＴあるいは液晶表示装置であり、映像信号処理部４３から出力される駆動信号を画像表示する。
【００５８】
リモートコントローラ４８は、図７に示すような複数のキースイッチを備えた構成となっており、１つのキースイッチのみが押下されるときには、押下されたキースイッチを示すリモートコントロール信号を送信する。また、複数のキースイッチが同時に押下されたときには、同時に押下されたキースイッチのそれぞれを識別可能にするリモートコントロール信号を送信する。
【００５９】
マイクロコンピュータ４５は、テレビ受像機としての主要動作を制御する。すなわち、チューナ部１１が受信するチャンネルを制御する。また、映像信号処理部４３の動作を制御することによって、表示器４４に表示される画像の輝度やコントラスト等を制御する。また、その機能の一部によって、組入力手段８の一部となる組入力部２１と、リモコン信号解析手段９の一部となる信号解析部２２とを構成する。
【００６０】
本実施形態の動作は、フローチャートとして示すときには、図４、図５に示す動作となる。このため、図４、図５のフローチャートにおいて示した各ステップのうち、映像信号記録再生装置に適用した場合と異なるステップについてのみ、動作説明を行う。
【００６１】
電源キー５８４を操作して、電源オフ状態から電源オン状態に移行した後、設定キー５８５とカーソルキー５８６と決定キー５８７とを操作することによって、指示内容に対応する複数のキースイッチの組の入力画面を表示させると、表示器４４には、図８に示す画面が表示される。
【００６２】
この画面において示される対応関係について説明すると、音量増大キー５９３と『１』キー５７１との２つのキーを同時に押下したときには、指示内容は『音量増大』となり、音量減少キー５９４と『３』キー５７３との２つのキーを同時に押下したときには、指示内容は『音量減少』となることが示されている。また、『１』キー５７１とチャンネルアップキー５９５とを同時に押下したときには、指示内容は『１チャンネルの受信』となり、『２』キー５７２とチャンネルアップキー５９５とを同時に押下したときには、指示内容は『２チャンネルの受信』となることが示されている。また、電源キー５８４と『８』キー５７８と入力切換キー５９６との３つのキースイッチを同時に押下したときには、電源オフの指示となることが示されている。これらの対応関係は、組記憶手段（メモリ）１６に記憶される。
【００６３】
なお、電源オンの指示、カーソルの４方向への移動の指示、決定の入力の指示、設定画面（図８に示す一覧表示の画面）の表示に必要となる指示については、一覧には表示されず、対応するキースイッチの変更は不能となっている。
【００６４】
また、複数のキースイッチの組の対応付けが終了した後では、『１』キー５７１とチャンネルアップキー５９５とを同時に押下すると、受信するチャンネルが『１』チャンネルとなり、『２』キー５７２とチャンネルアップキー５９５とを同時に押下したときには、『２』チャンネルの受信となる。また、電源キー５８４と『８』キー５７８と入力切換キー５９６とを同時に押下したときには、電源オフとなる。
【００６５】
以上のことから、指示内容が数値となる指示、チャンネルアップの指示、および、チャンネルダウンの指示を、複数のキースイッチの組に対応付ける場合では、数字キーやチャンネルアップキーやチャンネルアップダウンキーを単独で操作したときにも、これらの操作は無視されることになる。このため、電気店等において、テレビ受像機を棚に並べて、同じチャンネルを受信して見せるディスプレイを行う場合では、店を訪れる客によって、不要にリモートコントローラ４８のキースイッチが操作されるときにも、受信するチャンネルが変更されるという事態の発生を、極めて高い確率で防止できるので、店頭ディスプレイの効果が高い状態に維持されることになる。
【００６６】
以下に補足的な説明を行うと、映像信号記録再生装置やテレビ受像機等の家電機器を開発する製品開発の現場においては、同じ部屋内にいる複数の技術者のそれぞれが、ときには、同じ機種の異なる部分の開発を担当するといった事態が生じる。従って、いま、技術者Ａと技術者Ｂとが、同じ部屋において開発を行っているとする。また、それぞれの担当している機種が同じ型式の装置であるとする。このような状態において、技術者Ａが、リモートコントローラを用いて、自身が担当している装置に動作の指示を入力した場合、技術者Ｂが担当している装置にも、リモートコントローラの信号が入力されるといったことが生じる。このような事態が生じると、技術者Ｂが担当している装置が、技術者Ａがリモートコントローラに入力した操作に対応する動作を実行するという不具合を生じるが、本発明に係るリモートコントロール装置を備える場合では、各指示内容に対応する複数のキースイッチの組を、技術者Ａの装置と技術者Ｂの装置との間で、互いに同一となることのないように対応付けを行うのみで、上記した不具合の発生を防止できることになる。
【００６７】
このことは、例えば、ＤＶＤ再生装置等において、連続して長時間の再生を行うときに、他人の不注意なリモートコントローラの操作等によって、再生が不意に停止されるという事態の発生を防止できるので、エージングテストにおいては特に効果を発揮することになる。
【００６８】
なお、本発明は上記実施形態に限定されず、映像信号記録再生装置に適用した場合、および、テレビ受像機に適用した場合について説明したが、その他の装置として、例えば、ＤＶＤ再生装置、ビデオカセットレコーダ、あるいは、ＩＣを記録媒体とするレコーダ、等のように、指示内容の一覧と、対応付けられる複数のキースイッチの組とを表示させることが可能であり、且つ、リモートコントローラを備える任意の装置に適用することができる。
【図面の簡単な説明】
【００６９】
【図１】本発明に係るリモートコントロール装置の第１の実施形態が適用された映像信号記録再生装置の電気的構成を示すブロック線図である。
【図２】リモートコントローラに設けられたキースイッチを示す説明図である。
【図３】指示内容と複数のキースイッチの組との対応関係を入力するときに表示される指示内容の一覧表示画面を示す説明図である。
【図４】実施形態が適用された映像信号記録再生装置において、指示内容と複数のキースイッチの組との対応関係を入力するときの主要動作を示すフローチャートである。
【図５】実施形態が適用された映像信号記録再生装置のリモートコントローラのキースイッチを操作したときの主要動作を示すフローチャートである。
【図６】本実施例係るリモートコントロール装置の第２の実施形態が適用されたテレビ受像機の電気的構成を示すブロック線図である。
【図７】リモートコントローラに設けられたキースイッチを示す説明図である。
【図８】指示内容と複数のキースイッチの組との対応関係を入力するときに表示される指示内容の一覧表示画面を示す説明図である。
【符号の説明】
【００７０】
８  組入力手段
９  リモコン信号解析手段
１６  メモリ（組記憶手段）
１８  リモートコントローラ
４８  リモートコントローラ
２６１  一覧表示された指示内容
【図１】
2005295440.tif 000003
【図２】
2005295440.tif 000004
【図３】
2005295440.tif 000005
【図４】
2005295440.tif 000006
【図５】
2005295440.tif 000007
【図６】
2005295440.tif 000008
【図７】
2005295440.tif 000009
【図８】
2005295440.tif 000010